(57)【要約】  マシンタイプ通信（ＭＴＣ）サービスを提供する無線通信ネットワークにおいて、基地局と他のＭＴＣデバイスとの間で通信するために、周波数スペクトルの一部分がＭＴＣデバイスに割り当てられる。周波数スペクトルのその一部分を通して、ＭＴＣデバイスにＭＴＣシステム情報が送信され、ＭＴＣデバイスからシステム情報が受信され、そのシステム情報はチャネル情報を含むことができる。周波数スペクトルのその一部分は、ロングタームエボリューション（ＬＴＥ）無線通信ネットワークのために用いることができる。
2014533898.tif 000002
【特許請求の範囲】
【請求項１】
マシンタイプ通信サービスを提供する無線通信ネットワーク内で用いられる基地局において実施される方法であって、
前記マシンタイプ通信サービスに周波数スペクトルの部分を割り当てることと、
マシンタイプ通信システム情報を第１のマシンタイプ通信デバイスに送信することと、
を含み、
前記マシンタイプ通信システム情報は、前記周波数スペクトルの前記部分のチャネル情報を含み、
前記第１のマシンタイプ通信デバイスは前記チャネル情報に従って通信する、方法。
【請求項２】
前記周波数スペクトルの前記部分は断片化された周波数スペクトルを含む、請求項１に記載の方法。
【請求項３】
前記断片化された周波数スペクトルは前記マシンタイプ通信サービスに対して専用に割り当てられる、請求項２に記載の方法。
【請求項４】
前記第１のマシンタイプ通信デバイスへのデータ又は前記第１のマシンタイプ通信デバイスからのデータは、前記周波数スペクトルの前記部分において送信される、請求項１〜３のいずれか一項に記載の方法。
【請求項５】
前記マシンタイプ通信システム情報は前記周波数スペクトルの前記部分において送信される、請求項１〜４のいずれか一項に記載の方法。
【請求項６】
前記マシンタイプ通信システム情報は、前記無線通信ネットワークの１つ又は複数のセルを示すマシンタイプ通信セル情報を含む、請求項１〜５のいずれか一項に記載の方法。
【請求項７】
前記マシンタイプ通信セル情報は、マスター情報ブロック情報を含み、該情報に従って、前記第１のマシンタイプ通信デバイスは前記無線通信ネットワークを介して通信する、請求項６に記載の方法。
【請求項８】
前記周波数スペクトルの前記部分は１．４ＭＨｚ帯域幅を有する、請求項１〜７のいずれか一項に記載の方法。
【請求項９】
前記マシンタイプ通信システム情報は、
第２のマシンタイプ通信デバイスの制御及びスケジューリング情報を更に含む、請求項１〜８のいずれか一項に記載の方法。
【請求項１０】
前記第１のマシンタイプ通信デバイスは、前記制御及びスケジューリング情報に従って、前記第２のマシンタイプ通信デバイスと通信する、請求項９に記載の方法。
【請求項１１】
前記制御及びスケジューリング情報は、前記第２のマシンタイプ通信デバイスがマスターであるか、スレーブであるかについての情報を含む、請求項１０に記載の方法。
【請求項１２】
前記第１のマシンタイプ通信デバイスは単一のアンテナを備える、請求項１〜１１のいずれか一項に記載の方法。
【請求項１３】
前記第１のマシンタイプ通信デバイスは複数のアンテナを備える、請求項１〜１２のいずれか一項に記載の方法。
【請求項１４】
マシンタイプ通信サービスを提供する無線通信ネットワーク内で用いられるマシンタイプ通信デバイスにおいて実施される方法であって、
マシンタイプ通信サービスに周波数スペクトルの部分を割り当てる、基地局からのマシンタイプ通信システム情報を受信することと、
前記周波数スペクトルの前記部分のチャネル情報に従って通信することと、
を含み、
前記マシンタイプ通信システム情報は前記周波数スペクトルの前記部分の前記チャネル情報を含む、方法。
【請求項１５】
マシンタイプ通信サービスを提供する無線通信ネットワークであって、
前記マシンタイプ通信サービスに周波数スペクトルの部分を割り当てる基地局と、
前記基地局からマシンタイプ通信システム情報を受信するマシンタイプ通信デバイスと、
を備え、
前記マシンタイプ通信システム情報は前記周波数スペクトルの前記部分のチャネル情報を含み、
前記マシンタイプ通信デバイスは前記チャネル情報に従って通信する、無線通信ネットワーク。
【請求項１６】
マシンタイプ通信サービスを提供する無線通信ネットワーク内で用いられるマシンタイプ通信デバイスにおいて実施される方法であって、
セル探索を実行することであって、セルを見つけることと、
プライマリキャリアコンポーネント（Ｐセル）上でマスター情報ブロックを受信することと、
前記マスター情報ブロックを復号化することと、
前記セルがマシンタイプ通信をサポートし、マシンタイプ通信に専用に割り当てられたセカンダリキャリアコンポーネント（Ｓセル）が使用可能である場合、前記セカンダリキャリアコンポーネントに切り替えることと、
を含む、方法。
【請求項１７】
前記プライマリキャリアコンポーネントは１．４ＭＨｚ帯域幅を有する、請求項１６に記載の方法。
【請求項１８】
前記マシンタイプ通信デバイスは前記セカンダリキャリアコンポーネントに切り替えるように要求される、請求項１６又は１７に記載の方法。
【請求項１９】
前記マシンタイプ通信デバイスは、前記セカンダリキャリアコンポーネントとの時間同期及び周波数同期のうちの少なくとも一方を維持する、請求項１６〜１８のいずれか一項に記載の方法。
【請求項２０】
前記同期は、二次同期信号及びセル参照信号の少なくとも一方を用いて実行される、請求項１９に記載の方法。
【請求項２１】
前記セカンダリキャリアコンポーネントにおいて物理ブロードキャストチャネルを受信することと、
マスター情報ブロック更新に向けて前記物理ブロードキャストチャネルを復号化することと、
を更に含む、請求項１６〜２０のいずれか一項に記載の方法。
【請求項２２】
無線通信ネットワーク内で用いられるマシンタイプ通信デバイスであって、
マシンタイプ通信サービスに対して決定された周波数スペクトルの部分を通して前記マシンタイプ通信サービスに必要なシステム情報を受信する受信ユニットと、
前記システム情報を処理して、前記周波数スペクトルの前記部分を通してデータを生成する処理ユニットと、
を備える、マシンタイプ通信デバイス。
【請求項２３】
前記周波数スペクトルの前記部分は、ロングタームエボリューション無線通信ネットワークのシステム帯域幅から選択される、請求項２２に記載のマシンタイプ通信デバイス。
【発明の詳細な説明】
【技術分野】
【０００１】
本発明はロングタームエボリューション（ＬＴＥ）無線通信ネットワークを介してマシンタイプ通信（ＭＴＣ：machine type communication）を提供する装置及び方法に関する。
【背景技術】
【０００２】
ロングタームエボリューション（ＬＴＥ）無線通信ネットワークが発展するにつれて、ネットワーク事業者はＲＡＴ（無線アクセス技術）の数を最小化することによってネットワーク全体の維持管理コストを削減することを望む。マシンタイプ通信（ＭＴＣ）は、スマートメータリング、商用車両追跡等、ネットワーク内のＭＴＣデバイス間におけるデータ送受信アプリケーションの増加に起因して、将来拡大し続ける可能性が高い市場である。一例では、数多くの既存のＭＴＣデバイス（例えば、ＭＴＣユーザー機器）は、現在、ＧＳＭ（登録商標）／ＧＰＲＳネットワーク（Global System for Mobile communications/General Packet Radio Serviceネットワーク:即ち、 移動通信用グローバルシステム／汎用パケット無線サービスネットワーク）によって十分に取り扱うことができるローエンドの用途を目的として開発されている。ここで、ローエンドの用途とは、例えば、加入者一人あたりの平均売上が低い、データ速度が低い等である。これらのＭＴＣデバイスのコストが低いこと、及びＧＳＭ／ＧＰＲＳのカバレッジが良好であることから、ＭＴＣデバイス供給業者がＬＴＥ無線インターフェースをサポートするモジュールを使用する動機はほとんどなかった。しかしながら、無線通信ネットワーク内に展開されるＭＴＣデバイスが増えるにつれて、既存のＧＳＭ／ＧＰＲＳネットワークへの依存が大きくなる。したがって、これは、複数のＲＡＴを維持管理することに関してネットワーク事業者に負担をかけるだけでなく、特にＧＳＭ／ＧＰＲＳの最適でないスペクトル効率を考えると、事業者が、そのスペクトルから最大限の利益を得るのを妨げることになる。
【発明の概要】
【発明が解決しようとする課題】
【０００３】
将来、ＭＴＣデバイスが多くなることを考えると、サービスを提供するためにデバイスが必要とする全リソースは著しく、非効率的に割り当てられるおそれがある。それゆえ、例えば、ＭＴＣ事業者に対する運用コストを削減できるようにする簡単な運用手順を有し、かつＧＳＭ／ＧＰＲＳネットワークからＬＴＥネットワークへのＭＴＣデバイスの移行を容易にすることができる、低コスト及び低電力ＭＴＣデバイスを提供することが望ましい。
【課題を解決するための手段】
【０００４】
本発明の第１の態様において、マシンタイプ通信(ＭＴＣ)サービスを提供する無線通信ネットワーク内で用いられる基地局において実施される方法であって、
前記マシンタイプ通信サービスに周波数スペクトルの一部分を割り当てることと、
マシンタイプ通信システム情報を第１のマシンタイプ通信デバイスに送信することと、
を含み、
前記マシンタイプ通信システム情報は、前記周波数スペクトルの前記部分のチャネル情報を含み、
前記第１のマシンタイプ通信デバイスは前記チャネル情報に従って通信する、方法が提供される。
【０００５】
本発明の第２の態様において、前記周波数スペクトルの前記部分は断片化された周波数スペクトルを含む、第１の態様による方法が提供される。
【０００６】
本発明の第３の態様において、前記断片化された周波数スペクトルは前記マシンタイプ通信サービスに対して専用に割り当てられる、第２の態様による方法が提供される。
【０００７】
本発明の第４の態様において、前記第１のマシンタイプ通信デバイスへのデータ又は前記第１のマシンタイプ通信デバイスからのデータは、前記周波数スペクトルの前記部分において送信される、第１〜第３の態様のいずれか１つによる方法が提供される。
【０００８】
本発明の第５の態様において、前記マシンタイプ通信システム情報は前記周波数スペクトルの前記部分において送信される、第１〜第４の態様のいずれか１つによる方法が提供される。
【０００９】
本発明の第６の態様において、前記マシンタイプ通信システム情報は、前記無線通信ネットワークの１つ又は複数のセルを示すマシンタイプ通信セル情報を含む、第１〜第５の態様のいずれか１つによる方法が提供される。
【００１０】
本発明の第７の態様において、前記マシンタイプ通信セル情報は、マスター情報ブロック情報を含み、該情報に従って、前記第１のマシンタイプ通信デバイスは前記無線通信ネットワークを介して通信する、第６の態様による方法が提供される。
【００１１】
本発明の第８の態様において、前記周波数スペクトルの前記部分は１．４ＭＨｚ帯域幅を有する、第１〜第７の態様のいずれか１つによる方法が提供される。
【００１２】
本発明の第９の態様において、前記マシンタイプ通信システム情報は、
第２のマシンタイプ通信デバイスの制御及びスケジューリング情報を更に含む、第１〜第８の態様のいずれか１つによる方法が提供される。
【００１３】
本発明の第１０の態様において、前記第１のマシンタイプ通信デバイスは、前記制御及びスケジューリング情報に従って、前記第２のマシンタイプ通信デバイスと通信する、第９の態様による方法が提供される。
【００１４】
本発明の第１１の態様において、前記制御及びスケジューリング情報は、前記第２のマシンタイプ通信デバイスがマスターであるか、スレーブであるかについての情報を含む、第１０の態様による方法が提供される。
【００１５】
本発明の第１２の態様において、前記第１のマシンタイプ通信デバイスは単一のアンテナを備える、第１〜第１１の態様のいずれか１つによる方法が提供される。
【００１６】
本発明の第１３の態様において、前記第１のマシンタイプ通信デバイスは複数のアンテナを備える、第１〜第１２の態様のいずれか１つによる方法が提供される。
【００１７】
本発明の第１４の態様において、マシンタイプ通信サービスを提供する無線通信ネットワーク内で用いられるマシンタイプ通信デバイスにおいて実施される方法であって、
マシンタイプ通信サービスに周波数スペクトルの一部分を割り当てる、基地局からのマシンタイプ通信システム情報を受信することと、
前記周波数スペクトルの前記部分のチャネル情報に従って通信することと、
を含み、
前記マシンタイプ通信システム情報は前記周波数スペクトルの前記部分の前記チャネル情報を含む、方法が提供される。
【００１８】
本発明の第１５の態様において、マシンタイプ通信サービスを提供する無線通信ネットワークであって、
前記マシンタイプ通信サービスに周波数スペクトルの一部分を割り当てる基地局と、
前記基地局からマシンタイプ通信システム情報を受信するマシンタイプ通信デバイスと、
を備え、
前記マシンタイプ通信システム情報は前記周波数スペクトルの前記部分のチャネル情報を含み、
前記マシンタイプ通信デバイスは前記チャネル情報に従って通信する、無線通信ネットワークが提供される。
【００１９】
本発明の第１６の態様において、マシンタイプ通信サービスを提供する無線通信ネットワーク内で用いられるマシンタイプ通信デバイスにおいて実施される方法であって、
セル探索を実行することであって、セルを見つけることと、
プライマリキャリアコンポーネント（Ｐセル）上でマスター情報ブロックを受信することと、
前記マスター情報ブロックを復号化することと、
前記セルがマシンタイプ通信をサポートし、マシンタイプ通信に専用に割り当てられたセカンダリキャリアコンポーネント（Ｓセル）が使用可能である場合、前記セカンダリキャリアコンポーネントに切り替えることと、
を含む、方法が提供される。
【００２０】
本発明の第１７の態様において、前記プライマリキャリアコンポーネントは１．４ＭＨｚ帯域幅を有する、第１６の態様による方法が提供される。
【００２１】
本発明の第１８の態様において、前記マシンタイプ通信デバイスは前記セカンダリキャリアコンポーネントに切り替えるように要求される、第１６又は第１７の態様による方法が提供される。
【００２２】
本発明の第１９の態様において、前記マシンタイプ通信デバイスは、前記セカンダリキャリアコンポーネントとの時間同期及び周波数同期のうちの少なくとも一方を維持する、第１６〜第１８の態様のいずれか１つによる方法が提供される。
【００２３】
本発明の第２０の態様において、前記同期は、二次同期信号及びセル参照信号の少なくとも一方を用いて実行される、第１９の態様による方法が提供される。
【００２４】
本発明の第２１の態様において、前記セカンダリキャリアコンポーネントにおいて物理ブロードキャストチャネルを受信することと、
マスター情報ブロック更新に向けて前記物理ブロードキャストチャネルを復号化することと、
を更に含む、第１６〜第２０の態様のいずれか１つによる方法が提供される。
【００２５】
具体的には、一実施形態では、周波数スペクトルのその部分はＬＴＥ無線通信ネットワーク内のＬＴＥユーザー機器（ＬＴＥ  ＵＥ）によって通信するには小さすぎる帯域幅を有する断片を含む、断片化された周波数スペクトルを含む。一実施形態では、周波数スペクトルのその部分は１．４ＭＨｚの帯域幅（例えば、仮想帯域幅）を含む。２ＭＨｚのような超過帯域幅も考えられることは当業者には理解されよう。
【００２６】
一実施形態では、その方法は、ＬＴＥ無線通信ネットワーク内のＭＴＣデバイスの通信に断片化された周波数スペクトルを専用に割り当てることを更に含む。
【００２７】
別の実施形態では、その方法は、ネットワーク内のＭＴＣデバイスが、ＬＴＥに割り当てられた周波数スペクトルにおいて、かつＬＴＥ利用ＭＴＣデバイス（LTE based MTC device）に対して利用し、専用に割り当てることができる断片化された周波数スペクトルにおいて動作するための無線アクセスを更に提供する。この実施形態では、その方法によって、ＭＴＣデバイスは、同じセル内で動作するＬＴＥのＵＥにいかなる影響も与えることなく、ＬＴＥに割り当てられた既存の周波数スペクトル上で、又はＭＴＣに専用に割り当てられた断片化された周波数スペクトル上でデータを受信及び送信できるようになる。
【００２８】
一実施形態では、その方法は、ＭＴＣデバイスに送信されるデータ及び／又はＭＴＣデバイスから受信されるデータを搬送するために周波数スペクトルのその部分の専用チャネルを割り当て、マッピングすることを更に含む。別の実施形態では、その方法は、ＭＴＣシステム情報を搬送するために周波数スペクトルのその部分の更なる専用チャネルを割り当て、マッピングすることを更に含む。例えば、その方法は、固定制御領域及びその制御チャネルと、構成可能な割当て帯域幅内でのそのマッピングとを規定することを含む。その例では、その方法は、ＭＴＣに関連する物理チャネルマッピングに割り当てられた帯域幅内のフレーム構造及びサブフレーム構造を規定することを更に含む。また、専用チャネル及び／又は更なる専用チャネルは、ＭＴＣ  Ｌ１／Ｌ２制御シグナリング及びＭＴＣ  Ｌ１データを搬送する。
【００２９】
一実施形態では、ＬＴＥネットワークは１つ又は複数のセルを含み、その方法は、特定のセルがＭＴＣデバイスに通信される（例えば、ブロードキャストされる）ことになるＭＴＣをサポートするか否かを指示するために、既存のＬＴＥセルシステム情報を変更することを更に含む。
【００３０】
一実施形態では、ＬＴＥ利用ＭＴＣデバイスは低コストであり、レガシーＬＴＥ  ＵＥに著しく影響を及ぼすことなく、既存のＬＴＥネットワーク内で動作するために、低い電力要件を有する。例えば、割り当てられた（例えば、仮想）帯域幅内でＭＴＣシステム（例えば、制御）情報を搬送する物理チャネルを割り当て、マッピングすることによって、ＭＴＣの無線フレーム構造及びグループスケジュール割当てにより、ＭＴＣデバイスは効率的なＤＲＸ（不連続受信）及び／又はＤＴＸ（不連続送信）を使用できるようになり、ＭＴＣデバイス電力を節約できるようになる。
【００３１】
また、これらのＬＴＥ利用ＭＴＣデバイスは、通常のＬＴＥ動作にとっては小さすぎるが、低データ速度のＭＴＣデバイスにとっては十分である指定された周波数スペクトルにおいて動作することができ、ネットワーク事業者が断片化されたスペクトルをより効率的に利用できるようにする。ＭＴＣデバイスは、頻度が低い小さなデータをバースト送信する際にＬＴＥネットワークを介して通信することが考えられるので、ＭＴＣデバイスは断片化されたスペクトルを使用することができる。
【００３２】
一実施形態では、その方法は、ＬＴＥ無線通信しているＭＴＣデバイスのうちの近接するＭＴＣデバイス同士が直接データを通信するように構成するために、ＭＴＣシステム情報が制御及びスケジューリング情報を含むように構成することを更に含む。一実施形態では、それぞれの近接するＭＴＣデバイス間のデータ通信をスケジューリングするように、制御及びスケジューリング情報は、近接するＭＴＣデバイスのうちの一方がマスターになり、近接するＭＴＣデバイスの別のデバイスがスレーブになるように構成する情報を含む。したがって、例えば、ＭＴＣデバイス間の通信のために、ＬＴＥ利用ＭＴＣネットワークが展開され、そのネットワークは、ネットワーク事業者に対する運用コストを削減するのを助けるために、低い電力消費量及び低い維持管理コストも有する。すなわち、ＬＴＥ利用ＭＴＣネットワークは、近接するＭＴＣデバイス間のネットワークデータトラフィックをＬＴＥネットワークからオフロードする（例えば、ＭＴＣデバイス間で直接通信する）能力を与える。それに加えて、又はその代わりに、ＭＴＣネットワークによって、ネットワーク事業者は、近接するＭＴＣデバイス間のオフロードデータトラフィック量に対する課金の制御を維持できるようになる。
【００３３】
一実施形態では、ＭＴＣシステム情報は、ＭＴＣデバイスにＭＴＣサービスを提供するＬＴＥ無線通信ネットワークの１つ又は複数のセルを指示するＭＴＣセル情報を含む。その実施形態では、ＭＴＣデバイスがＬＴＥ無線通信ネットワークにアクセスし、ＬＴＥ無線通信ネットワークを介してデータを送信し、及び／又は受信するように構成できるように、ＭＴＣセル情報はマスター情報ブロック（ＭＩＢ）情報を含む。
【００３４】
本発明の別の実施形態では、ロングタームエボリューション（ＬＴＥ）無線通信ネットワークを介して通信するマシンタイプ通信（ＭＴＣ）デバイスが提供され、そのデバイスは、
ＭＴＣシステム情報を受信及び送信するＲＦユニットであって、ＭＴＣシステム情報は、ＭＴＣデバイスがＬＴＥ無線通信ネットワークを介して通信するために、ＬＴＥ無線通信ネットワークの周波数スペクトルの割り当てられた部分のチャネル情報を含む、ＲＦユニットと、
ＭＴＣシステム情報を処理するプロセッサであって、チャネル情報に基づいて、ＭＴＣデバイスがＬＴＥ無線通信ネットワークを介してデータを送信し、及び／又は受信するように構成する、プロセッサとを備える。
【００３５】
一実施形態では、ＲＦユニットは単一のＲＦユニットであり、プロセッサは低電力消費量を有する低クロック速度プロセッサである。
【００３６】
一実施形態では、ロングタームエボリューション（ＬＴＥ）無線通信ネットワークは、リリース１１  ＬＴＥを含む。ＭＴＣデバイスは他のリリースのＬＴＥ、特にリリース１１以降のＬＴＥに関して動作することができることは当業者に理解されよう。
【００３７】
ここで、本発明の実施形態が、例にすぎないが、添付の図面を参照しながら記述される。
【図面の簡単な説明】
【００３８】
【図１】本発明の一実施形態による、マシンタイプ通信（ＭＴＣ）デバイスをサポートする無線通信システムの概略図である。
【図２】本発明の一実施形態による、既存のロングタームエボリューション（ＬＴＥ）無線通信運用スペクトル内でＭＴＣデバイスをサポートする無線通信システムの簡略図である。
【図３Ａ】本発明の一実施形態による、周波数分割二重通信（ＦＤＤ）の場合のＭＴＣのフレーム構造及び物理マッピングの概略図である。
【図３Ｂ】図３Ａの周波数分割二重通信（ＦＤＤ）の場合のＭＴＣのフレーム構造及び物理マッピングの更なる概略図である。
【図４Ａ】本発明の一実施形態による、時分割二重通信（ＴＤＤ）の場合のＭＴＣのフレーム構造及び物理マッピングの概略図である。
【図４Ｂ】図４Ａの時分割二重通信（ＴＤＤ）の場合のＭＴＣのフレーム構造及び物理マッピングの更なる概略図である。
【図５】本発明の一実施形態による、専用ＭＴＣキャリア内でＭＴＣデバイスをサポートする無線通信システムの簡略図である。
【図６】本発明の一実施形態による、専用ＭＴＣキャリア上のＦＤＤの場合のＭＴＣのフレーム構造及び物理マッピングの概略図である。
【図７Ａ】本発明の一実施形態による、ＭＴＣデータチャネル受信及び送信のレイヤ１アクセス手順の流れ図である。
【図７Ｂ】図７ＡのＭＴＣデータチャネル受信及び送信のレイヤ１アクセス手順の更なる流れ図である。
【図８】本発明の一実施形態による、近接するＭＴＣデバイスをサポートする無線通信システムの簡略図である。
【図９】本発明の一実施形態による、近接ＭＴＣデバイス間の直接データ転送を可能にすることによってネットワークトラフィックオフロードをサポートする無線通信システムの簡略図である。
【発明を実施するための形態】
【００３９】
一実施形態によれば、図１に示されるようなＬＴＥ無線通信システムが提供される。そのシステムは、無線通信ネットワーク内でＭＴＣ無線アクセスを提供し、ＬＴＥ利用ＭＴＣデバイス１００、１８０及び１９０を含み、それらのデバイスは互いに通信するか、又はＬＴＥ無線通信ネットワーク、すなわち、ＬＴＥ無線アクセスネットワーク（ＬＴＥ  ＲＡＮ３００）を介してＭＴＣサーバー５００と通信する。また、そのシステムは、ＧＳＭ／ＧＰＲＳに基づくＭＴＣデバイス１０１も含み、そのデバイスは、ＧＳＭ／ＧＰＲＳ無線通信ネットワーク（ＧＳＭ／ＧＰＲＳ  ＲＡＮ３００）を介してＭＴＣサーバー５００と通信する。上記の実施形態において、ＬＴＥ利用ＭＴＣデバイス１００、１８０及び１９０は低コストデバイスであり、低い電力消費量を有し、ＬＴＥ無線通信ネットワーク内で動作する。
【００４０】
図１に示されているように、近接するＭＴＣデバイス１８０及び１９０はＬＴＥ  ＲＡＮ３００を介して通信することに加えて、又はその代わりに、互いに直接通信するように構成される。この図では、これらのＭＴＣデバイス１８０及び１９０は直接無線リンクを介して互いに直接データを送信するように構成され、直接無線リンクはＬＴＥ  ＲＡＮ３００によって制御される。別の実施形態では、無線リンクは、ＭＴＣデバイス１８０及び１９０のうちの一方によって制御される。いずれにしても、ＬＴＥ  ＲＡＮ３００は、ＬＴＥ利用ＭＴＣデバイス１００、１８０及び１９０全てに対する無線通信インターフェース２１６と、レガシーＬＴＥ  ＵＥ２００に対する無線通信インターフェースとの両方を提供するように構成される。また、ＬＴＥ  ＲＡＮ３００は、近接している等、１つ又は複数の共通の特徴に基づいて、ＬＴＥ  ＲＡＮ３００とデータ通信するＭＴＣデバイスのグループ（例えば、ＭＴＣデバイス１８０及び１９０）を決定する情報を含むことは理解されよう。この情報は、ＭＴＣデバイス１８０及び１９０のうちの一方が決定し、送信することができるか、又は予め決定され、ＬＴＥ  ＲＡＮ３００の処理ユニット内のメモリに記憶することができる。
【００４１】
図２は、ＬＴＥ利用ＭＴＣデバイス１００及びＬＴＥ  ＲＡＮ３００を更に詳細に示す。この実施形態では、図示されたＭＴＣデバイス１００は、単一の物理アンテナ１０５を備えたＲＦユニット１１０を含み、ＬＴＥセル探索及びマスター情報ブロック（ＭＩＢ）受信のために、公称１．４ＭＨｚの狭帯域幅において動作可能である。ＭＩＢはＬＴＥ  ＲＡＮ３００のセルのうちの１つへ初期アクセスするのに不可欠な最も頻繁に送信される多数のパラメータを含む。１．４ＭＨｚの狭帯域幅はＲＦ開発コストも削減する。それにもかかわらず、そのシステムによって他の狭帯域幅を使用できることは当業者には理解されよう。
【００４２】
また、ＭＴＣデバイス１００は、処理電力を最小化するために１．９２ＭＨｚの最小サンプリング速度を用いるＡ−Ｄコンバータ１２０と、毎秒２．８８×１０５Ｉ／Ｑシンボルを処理するために低いクロック速度を用いるベースバンドプロセッサ１３０とを含む。別の構成では、プロセッサ１３０は、所定のアイドルフレーム（複数の場合もある）中にデータの受信及び／又は送信を停止し、デバイス１００が消費する電力が少なくなるように電力消費量を節約することもできる。また、デバイス１００は、ベースバンド信号処理のために十分であるサイズを有するメモリ１４０と、ＭＴＣアプリケーションを処理するためのアプリケーションプロセッサ１５０とを含む。
【００４３】
ＬＴＥ利用ＭＴＣデバイス１００は、図２に更に詳細に示されるように、ＬＴＥ  ＲＡＮ３００と通信することによって広帯域ＬＴＥ無線ネットワーク又はシステム内で動作する。また、レガシーＬＴＥ  ＵＥ２００は、通常どおりにＬＴＥ  ＲＡＮ３００と通信する（例えば、ＬＴＥ  ＲＡＮ３００を介してＵＥ間で音声及び／又はデータ通信する）。また、この図から明らかなように、ダウンリンク送信において、ＭＴＣデバイス１００によって、単一アンテナ送信又は送信ダイバーシティ送信及び単一アンテナ受信のみがサポートされる。しかしながら、複数のアンテナ送信も考えられる。低コストのＬＴＥ利用ＭＴＣデバイスを得るために、ＬＴＥ利用ＭＴＣデバイスは、単一の受信／送信アンテナを有し、ＲＦコストを削減することが望ましいことは当業者には理解されよう。それでも、このＭＴＣデバイスは、物理ブロードキャストチャネル（ＰＢＣＨ：Physical Broadcast Channel）（それはマスター情報ブロック（ＭＩＢ：Master Information Block）を搬送する）を受信できるようにするために、ＤＬ（ダウンリンク）送信ダイバーシティをサポートする。
【００４４】
例示されるように、図２のシステムは、ＬＴＥ  ＲＡＮ３００と、ＬＴＥ−ＵＥ２００と、上記の低コスト及び狭帯域幅のＬＴＥ利用ＭＴＣデバイス１００とを含む。狭帯域幅（例えば、１．４ＭＨｚ）のＬＴＥ利用ＭＴＣデバイス１００が、一般的に、例えば、１．４、３、５、１０、１５又は２０ＭＨｚのシステム帯域幅を用いて、ＬＴＥネットワーク内で動作できるようにするために、以下の手順が適用される。最初に、ＬＴＥ利用ＭＴＣデバイス（複数の場合もある）１００は、１つ又は複数のセルを含むＬＴＥ  ＲＡＮ３００のセル探索及びＭＩＢ受信を実行し、１．４ＭＨｚシステム帯域幅（ＢＷ）においてＭＩＢを復号化する。ＭＩＢを復号化すると、ＭＴＣデバイス１００は以下のことを決定できる。
・セル運用ＢＷ情報（例えば、システムＢＷ＞１０ＲＢ（リソースブロック）又はシステムＢＷ≦１０ＲＢ）。
・そのセルがＭＴＣデバイス１００をサポートするか否か。
・ＭＴＣデバイス１００が、セルのプライマリキャリアコンポーネント（Ｐセル）においてサポートされるか、セルのセカンダリキャリアコンポーネント（Ｓセル）においてサポートされるか。
【００４５】
検出されたセルがプライマリキャリア（PCell）においてＭＴＣをサポートしている場合には、ＬＴＥ利用ＭＴＣデバイス１００はこのセルにキャンプオンする。その後、ＬＴＥ  ＲＡＮ（３００）は、そのカバレッジ内でＭＴＣデバイス（複数の場合もある）１００が特定のセルにキャンプオンしていることを通知され、中央の１．４ＭＨｚＢＷをＭＴＣトラフィックに割り当てられる仮想狭帯域(ＢＷ)として設定する。さらに、この中央の１．４ＭＨｚ仮想狭ＢＷは、セルトラフィック負荷を条件として、他のＬＴＥ  ＵＥと共用することも考えられる。
【００４６】
１．４ＭＨｚＢＷにおいて、ＬＴＥ  ＲＡＮ３００は、ＭＴＣシステム情報を送信するためにサブフレーム＃０（ＦＤＤ（周波数分割二重通信）及びＴＤＤ（時分割二重通信）の両方に対して適用可能）の中央の６リソースブロック（ＲＢ）をリザーブ(予約)する。ＭＴＣシステム情報は、限定はしないが、以下の情報を含む。
・ＭＴＣトラフィックに対して割り当てられる無線フレーム及びその関連するサブフレームを与える無線フレーム構成(configuration)情報
・割り当てられた無線フレーム構成を用いてネットワークにアクセスすることを許される、ＬＴＥ利用ＭＴＣデバイス１８０及び１９０のグループ情報
・物理ハイブリッドＡＲＱインジケータチャネル（ｍＰＨＩＣＨ）構成情報
・物理ブロードキャストチャネル（ＰＢＣＨ）と同じ送信モードを用いて送信されるＭＴＣシステム情報
【００４７】
その後、ＭＴＣデバイス優先度及びＭＴＣトラフィックに応じて、ＬＴＥ  ＲＡＮ３００によって無線フレーム構成情報が設定可能であり、ＬＴＥ  ＲＡＮ３００は、ＭＴＣシステム情報を受信するように更に設定される。図３Ａ及び図３Ｂ（ＦＤＤタイプ１）と、図４Ａ及び図４Ｂ（ＴＤＤタイプ２）とを参照すると、ＭＴＣシステム情報が以下に関してマッピングされてよい。
・通常のＣＰ（サイクリックプレフィックス）サブフレーム
・ＰＳＳ（プライマリ同期信号）、ＳＳＳ（セカンダリ同期信号）（タイプ１フレーム構造の場合）及びＰＢＣＨによって占有されないＯＦＤＭシンボル
・システムＢＷ＞１０ＲＢである場合にはＯＦＤＭシンボル＃４以降、又はシステムＢＷ≦１０ＲＢである場合にはＯＦＤＭシンボル＃５以降
・セル参照信号のために予約されないＲＥ（複数の場合もある）
【００４８】
また、１．４ＭＨｚＢＷにおいて、かつＭＴＣトラフィックに割り当てられたサブフレーム内で、ＬＴＥ  ＲＡＮ３００は、ＭＴＣ物理ダウンリンク制御チャネル（ｍＰＤＣＣＨ）及びＭＴＣ物理ハイブリッドＡＲＱインジケータチャネル（ｍＰＨＩＣＨ）の両方を送信するために、３つＯＦＤＭシンボルに関する固定ＭＴＣ制御領域を予約する。ｍＰＤＣＣＨはダウンリンク制御情報、主にスケジューリング決定のために用いられ、ＭＴＣデータチャネル（ｍＰＤＳＣＨ）の受信のために必要とされる。また、それは、ＭＴＣアップリンクデータチャネル（ｍＰＵＳＣＨ）上で送信できるようにする許可をスケジューリングするために用いられる。ｍＰＨＩＣＨは、ＭＴＣデバイス１００に、トランスポートブロックが再送されるべきであるか否かに関する情報を与えるために用いられる。いずれの場合でも、ｍＰＤＣＣＨ、ｍＰＨＩＣＨ及びｍＰＤＳＣＨは、ＰＢＣＨと同じ送信モードを用いて送信される。
【００４９】
さらに、図３Ａ及び図３Ｂ（ＦＤＤタイプ１フレーム構造）と、図４Ａ及び図４Ｂ（ＴＤＤタイプ２フレーム構造）とから明らかなように、ＭＴＣトラフィックに無線フレームのサブフレームが割り当てられる。具体的には、ＭＴＣ制御領域は以下に関してマッピングされる。
・フレーム構造タイプ２にとって特別なサブフレームでないサブフレーム
・システムＢＷ＞１０ＲＢである場合にはＯＦＤＭシンボル＃４以降、又はシステムＢＷ≦１０ＲＢである場合にはＯＦＤＭシンボル＃５以降
・セル参照信号のために予約されないＲＥ（リソース要素）（複数の場合もある）
【００５０】
また、ＭＴＣトラフィックに割り当てられる無線フレームのサブフレームにおいて、ＭＴＣデータチャネルｍＰＤＳＣＨは以下に関してマッピングされる。
・フレーム構造タイプ２にとって特別なサブフレームでないサブフレーム
・ＭＴＣサブフレームの残りのＯＦＤＭシンボル
・セル参照信号のために予約されないＲＥ（複数の場合もある）
【００５１】
図５は、専用ＭＴＣキャリア上で動作するＭＴＣデバイス１００をサポートする無線通信システムを示す図である。そのシステムは、ＬＴＥ利用ＭＴＣデバイス１００と、ＬＴＥ  ＲＡＮ３００とを含み、ＬＴＥ  ＲＡＮ３００は、アンテナ（複数の場合もある）３０５を介してアクセス可能なプライマリキャリアコンポーネントと、ＭＴＣに専用に割り当てられ、アンテナ（複数の場合もある）３０６を介してアクセス可能なセカンダリキャリアコンポーネントとをサポートする。また、レガシーＬＴＥ−ＵＥ２００も示されており、レガシーＬＴＥ−ＵＥ２００は、広帯域幅アンテナ３０５によってアクセス可能なプライマリキャリアコンポーネントを介してＬＴＥ  ＲＡＮ３００と通信する。ＭＴＣに専用に割り当てられたセカンダリキャリアコンポーネントは狭帯域幅キャリアであることは明らかである。
【００５２】
ＬＴＥ利用ＭＴＣデバイス１００がＭＴＣに専用に割り当てられた狭帯域幅キャリアコンポーネント上で動作できるようにするために、以下の手順が適用される。最初に、ＬＴＥ利用ＭＴＣデバイス（複数の場合もある）１００は、セル探索及びＭＩＢ受信と、プライマリキャリアコンポーネント（Ｐセル）における１．４ＭＨｚシステム帯域幅（ＢＷ）上の復号化とを実行する。１つの構成では、ＭＴＣデバイス１００及び／又はＬＴＥ  ＵＥ２００は、ＰＳＳが使用不能であるので、狭帯域幅セカンダリキャリアを検出できない。セルＭＩＢを復号化すると、ＬＴＥ利用ＭＴＣデバイスは、以下のことを判断可能である。
・セル運用ＢＷ情報（例えば、システムＢＷ＞１０ＲＢ又はシステムＢＷ≦１０ＲＢ）。
・そのセルがＭＴＣデバイスをサポートするか否か。
・ＭＴＣデバイス１００が、プライマリキャリアコンポーネント（Ｐセル）においてサポートされるか、セカンダリキャリアコンポーネント（Ｓセル）においてサポートされるか。
【００５３】
検出されたセルがＭＴＣをサポートしており、ＭＴＣに専用に割り当てられたセカンダリキャリアコンポーネント（Ｓセル）が使用可能である場合には、ＭＴＣデバイス１００は、セカンダリキャリアに切り替えるように要求され、そのＳセルにキャンプオンする場合がある（図５の矢印１０６を参照）。
【００５４】
一構成では、ＭＴＣ専用キャリアコンポーネント（Ｓセル）において、ＭＴＣデバイス１００は、ＳＳＳ（セカンダリ同期信号）及びＣＲＳ（セル参照信号）を用いてＳセルとの時間同期及び周波数同期を維持している。その構成において、Ｓセルのフレームタイミングは、Ｐセルのフレームタイミングとの一定のタイミングオフセットを有し、これは、切替えが行われる前にＭＴＣデバイス１００に通知される。一定のタイミングオフセットは、ＰセルとＳセルとの間の時間ＩＣＩＣ（セル間干渉協調）を可能にするであろう。また、ＭＴＣデバイス１００は、ＭＩＢの更新に向けて、Ｓセル上でＰＢＣＨを受信し、復号化している。
【００５５】
また、ＭＴＣ専用キャリアコンポーネント（Ｓセル）上で、ＬＴＥ  ＲＡＮ３００は、サブフレーム＃０においてＭＴＣシステム情報を送信している。図６を参照すると、ＭＴＣ専用キャリアコンポーネント上のＭＴＣシステム情報は、ＰＳＳ、ＳＳＳ、ＰＢＣＨ及びＣＲＳのために予約されていない全ての利用可能なＲＥに関してマッピングされる。また、ＬＴＥ  ＲＡＮ３００は、タイプ２フレーム構造にとって特別なサブフレームを含む残りのサブフレームにおける最初の３つのＯＦＤＭシンボル上でｍＰＨＩＣＨ及びｍＰＤＣＣＨを含むＭＴＣ制御チャネルを送信しており、ＰＳＳ、ＳＳＳ（タイプ１フレーム構造）のために予約されていない残りのＯＦＤＭシンボル上、及びＣＲＳのために予約されていないＲＥ（複数の場合もある）上でＭＴＣデータチャネル（ｍＰＤＳＣＨ）を送信している。
【００５６】
図７Ａ及び図７Ｂに示されるように、ＬＴＥ利用ＭＴＣデバイス１００は、Ｐセルの仮想ＢＷ上で、又はＳセル上の専用ＢＷ上でレイヤ１データチャネル受信及び／又は送信も実行する。この手順は７つのステップを含む。
【００５７】
ステップ１：基本セル探索
ＭＴＣデバイス（複数の場合もある）１００は、基本セル探索手順を実行することによってＬＴＥ  ＲＡＮ３００ネットワークとの通信を開始する。この手順は以下のことを含む。
・周波数及びシンボル同期情報の取り込み
・セルのフレームタイミングの二重方式の取り込み
・物理レイヤーセル識別の決定
【００５８】
ステップ２：セルシステム情報収集
基本セル探索動作の完了に成功すると、ＭＴＣデバイス１００はＢＣＨ受信及び復号化を実行して、セルシステム情報（ＭＩＢ）を特定する。
【００５９】
ステップ３：ＭＴＣキャリア選択
ＭＩＢの受信に成功すると、ＭＴＣデバイス１００は、そのＭＴＣデータチャネル（ｍＰＵＳＣＨ）送信及び／又はｍＰＤＳＣＨ受信のキャリアコンポーネント及び関連する無線フレーム構造を更に決定する。
【００６０】
ステップ４：ＭＴＣシステム情報受信
ｍＰＵＳＣＨ送信及び／又はｍＰＤＳＣＨ受信のために、ＭＴＣデバイス１００は、ＭＴＣサブフレーム割当てを具体的に決定するためにＤＬサブフレーム＃０上で周期的に送信され、ＭＴＣデバイス１００のグループ及びｍＰＨＩＣＨ構成に適用されるＭＴＣシステム情報の受信及び復号化を実行する。
【００６１】
ステップ５：ＭＴＣ制御チャネル検出及び復号化
割り当てられたＭＴＣフレームのサブフレーム（複数の場合もある）上で、ＭＴＣデバイス１００は、ＭＴＣ  ＤＬ制御チャネル（ｍＰＤＣＣＨ）の受信、及びＭＴＣダウンリンク制御情報（ｍＤＣＩ）の検出を実行する。
【００６２】
ステップ６：ＭＴＣデータチャネル受信及び／又は送信
ｍＰＤＳＣＨ受信のｍＤＣＩの検出に成功すると、ＭＴＣデバイス１００は、同じサブフレームにおいて関連するｍＰＤＳＣＨを受信する。それに加えて、又はその代わりに、ｍＰＵＳＣＨ送信のｍＤＣＩの検出に成功すると、ＭＴＣデバイス１００は、将来にスケジューリングされるＵＬサブフレームにおいて関連するｍＰＵＳＣＨを送信する。
【００６３】
ステップ７：ＭＴＣ確認フィードバック送信及び／又は受信
ｍＰＤＳＣＨを検出すると、ＭＴＣデバイス１００は、所定のＭＴＣ  ＵＬサブフレーム上で確認を送信する。また、それに加えて、又はその代わりに、ｍＰＵＳＣＨを送信すると、ＭＴＣデバイス１００は、確認のために、所定の将来のＤＬサブフレーム上でｍＰＨＩＣＨを監視する。
【００６４】
本発明の別の実施形態では、図１〜図８に示されるように、指定された近接距離（例えば、１００ｍ）以内の少なくとも２つのＬＴＥ利用ＭＴＣデバイス１８０及び１９０が、データを互いに直接的に交換できるようにすることによって、ネットワークトラフィックを軽減できる。
【００６５】
ＬＴＥ利用ＭＴＣデバイス１００がモビリティをサポートするとき、互いにデータ交換を必要とする２つのＬＴＥ利用ＭＴＣデバイス１００が、直接データ通信するための指定された近接距離内にある可能性が高められることは当業者には理解されよう。図９に示されるシステムを参照すると、ＬＴＥ  ＲＡＮ３００の制御下で、指定された近接距離内にある２つのＬＴＥ利用ＭＴＣデバイス１８０及び１９０が直接データを交換できるようにすることによるネットワークトラフィックオフロード処理の概念が説明される。
【００６６】
一方のＬＴＥ利用ＭＴＣデバイス１８０が別のＬＴＥ利用ＭＴＣデバイス１９０に近接していることを検出すると（例えば、１００ｍ）、ＬＴＥ利用ＭＴＣデバイス１８０はＬＴＥ利用ＭＴＣデバイス１９０にデータを転送する必要があり、ＬＴＥ  ＲＡＮ３００は、ＬＴＥ利用ＭＴＣデバイス１８０がマスターになり、ＬＴＥ利用ＭＴＣデバイス１９０がスレーブになるように構成する。このようにして、ＬＴＥ  ＲＡＮ３００は、ＬＴＥ利用ＭＴＣデバイス１８０から送信されることになるｍＰＤＳＨ、及びＬＴＥ利用ＭＴＣデバイス１９０によって受信されることになるｍＰＤＳＣＨの制御及びスケジューリングを行うことによって、ＬＴＥ利用ＭＴＣデバイス１８０及び１９０の両方に対する制御及びスケジューリングを行う。
【００６７】
上記の実施形態では、ｍＰＤＳＣＨ送信のためにサブフレームがスケジューリングされ、ＬＴＥ利用ＭＴＣデバイス１８０はｍＰＤＳＣＨを送信し、ＬＴＥ  ＲＡＮ３００はＭＴＣ復調参照信号（ｍＤＭＲＳ）を割り当てられる。この信号は、ＬＴＥ利用ＭＴＣデバイス１８０及び１９０がＯＦＤＭ信号送信をサポートすることを要求する。いずれにしても、ｍＰＤＳＣＨが受信されるためのサブフレームがスケジューリングされると、ＬＴＥ利用ＭＴＣデバイス１９０は、ｍＰＤＳＣＨ受信及び復調の参照信号として割り当てられたｍＤＭＲＳを用いて、ｍＰＤＳＣＨを受信する。ｍＰＤＳＣＨの受信に関する確認がＬＴＥ  ＲＡＮ３００を介して、ＬＴＥ利用ＭＴＣデバイス１９０によってＬＴＥ利用ＭＴＣデバイス１８０に送信されることになる。
【００６８】
また、ＬＴＥ利用ＭＴＣデバイス１８０が低い送信電力（すなわち、ＬＴＥ  ＲＡＮ３００の送信電力よりも著しく低い電力）でｅＰＤＳＣＨをＬＴＥ利用ＭＴＣデバイス１９０に送信するサブフレーム内における時間及び周波数割当て中に、ＬＴＥ利用ＭＴＣデバイス１８０とＬＴＥ利用ＭＴＣデバイス１９０との間の直接データ転送を中断することなく、ＬＴＥ  ＲＡＮ３００は、この時間及び周波数割当てを利用して、同じセル内、又は他のセル内の他のＭＴＣデバイス１００にデータを送信しても良い。
【００６９】
図７Ａ及び図７Ｂを参照し直すと、ＬＴＥ  ＲＡＮ３００の視点からロングタームエボリューション（ＬＴＥ）無線通信ネットワークを介して、マシンタイプ通信（ＭＴＣ）をＭＴＣデバイスに提供する方法が示される。その方法は、ＭＴＣデバイスがＬＴＥ無線通信ネットワークを介して通信するためにＬＴＥ無線通信ネットワークの周波数スペクトルの一部分を割り当てることと、ＭＴＣデバイスに割り当てられた周波数スペクトルの部分のチャネル情報を含むＭＴＣシステム情報を構成することと、ＭＴＣシステム情報に基づいてＬＴＥ無線通信ネットワークを介してデータを送信し、及び／又は受信するようにＭＴＣデバイスを構成できるように、ＭＴＣシステム情報をＭＴＣデバイスに通信することとを含む。ステップ２において制御情報の受信に成功すると、ＭＴＣデバイス１００は、そのＭＴＣシステム情報受信のキャリアコンポーネント及び関連する無線フレーム構造を決定できる。その後、ＭＴＣデバイスは、検出されたチャネル上でデータを送信し、及び／又は受信できるように、更なるＭＴＣシステムチャネル検出及び復号化に向けてシステム情報を受信する。
【００７０】
本発明の範囲から逸脱することなく、これまでに説明された部分に対して種々の修正、追加及び／又は変更を行うことができること、及び上記の教示を踏まえて、本発明が、当業者であれば理解するような種々のやり方でソフトウェア、ファームウェア及び／又はハードウェアにおいて実現できることは理解されたい。
【００７１】
本発明の背景を与えるためにのみ、本明細書において文書、行為、材料、デバイス、物品等の検討が含まれる。従来技術の一部を形成するこれらの事柄のいずれか、又は全てが、本出願の各請求項の優先日前に存在していたような、本発明の関連する分野における共通の一般知識の基礎をなすか、又はそのような共通の一般知識であることは示唆も明言もされない。
【００７２】
本明細書の説明及び特許請求の範囲を通して、「含む、備える（comprise）」という用語、又は「含んでいる、備えている（comprising、comprises）」等のその用語の異形は、他の付加物、構成要素、実全体（integers）又はステップを除外することは意図していない。
【００７３】
本出願は、２０１１年１１月２５日に出願の豪州仮特許出願第２０１１９０４９２３号に基づいており、その特許出願からの優先権の恩典を主張し、その開示は、その全体を引用することにより本明細書の一部をなすものとする。
【図１】
2014533898.tif 000003
【図２】
2014533898.tif 000004
【図３Ａ】
2014533898.tif 000005
【図３Ｂ】
2014533898.tif 000006
【図４Ａ】
2014533898.tif 000007
【図４Ｂ】
2014533898.tif 000008
【図５】
2014533898.tif 000009
【図６】
2014533898.tif 000010
【図７Ａ】
2014533898.tif 000011
【図７Ｂ】
2014533898.tif 000012
【図８】
2014533898.tif 000013
【図９】
2014533898.tif 000014
【国際調査報告】
2014533898.tif 000015